(57)【特許請求の範囲】
【請求項１】
外側面をネジ状に形成した異形棒鋼をアンカーボルトとして用い、該アンカーボルトの上部をベースプレートの挿通孔に挿通してナットにより締付固定する柱脚固定手段において、少なくとも前記アンカーボルトとナットとの螺合部のいずれか一方に縦通路を形成するとともに、前記ナットの上端部に流動性を有する硬化材を貯留して前記縦通路に導く凹状部を形成したことを特徴とするアンカーボルト締付固定用ナットの弛み止め装置。
【請求項２】
前記異形棒鋼として軸方向に形成されたリブの外側面をネジ状に形成した偏平状の異形棒鋼を用い、その異形棒鋼とナットとの間に形成される間隙を縦通路としたことを特徴とする請求項１記載のアンカーボルト締付固定用ナットの弛み止め装置。
【請求項３】
前記凹状部をロート状に形成したことを特徴とする請求項１又は２記載のアンカーボルト締付固定用ナットの弛み止め装置。
【請求項４】
前記凹状部をナットの上端部に装着する別部材により形成したことを特徴とする請求項１、２又は３記載のアンカーボルト締付固定用ナットの弛み止め装置。
【発明の詳細な説明】
【０００１】
【発明の属する技術分野】
本発明は、外側面をネジ状に形成した異形棒鋼をアンカーボルトとして用い、そのアンカーボルトの上部をベースプレートの挿通孔に挿通してナットにより締付固定する柱脚用固定技術に関するものであり、特に前記ナットの弛みを防止するための改良技術に関する。
【０００２】
【従来の技術】
従来、この種の柱脚用固定技術におけるナットの弛み止め手段としては、ダブルナットを用いるものや、機械による大きな締付力を用いるものが知られている。しかしながら、アンカーボルトとして異形棒鋼を用いるこの種の技術手段においては、その棒鋼の寸法公差が大きく精度がよくないため、良好な螺合状態は望めないことから、比較的小さな振動でも弛みやすく、前者のダブルナットを用いる場合でも大きな締付力は必要とされた。したがって、前記従来技術においては、締付作業に大きな労力を要したり、機械を使用するため作業が大がかりになるばかりでなく、作業スペースに制約のある場合には作業自体に大きな制約を伴うといった問題があった。他方、ナットに横穴を形成して、その横穴を介してセメントミルク等の流動性のよい硬化材を注入することにより、アンカーボルトとナットとの間隙部を固めるという弛み止め手段も考えられるが、横穴から的確に注入すること自体に技術的な困難が伴うため、圧入器具などの使用が必要となり実用的ではない。
【０００３】
【発明が解決しようとする課題】
本発明は、以上のような技術的な事情に鑑みてなされたもので、その目的とするところは、加工性のよいナット側に簡単な工夫を加えることにより、セメントミルクなどの流動性を有する硬化材を前記アンカーボルトとナットとの間隙部に供給するための注入作業に関する簡易化を図り、これにより実用的で確実なナットの弛み止め手段を提供し、延いてはナットに対する必要締付力を軽減して前記柱脚の固定作業の作業性を改善する点にある。
【０００４】
【課題を解決するための手段】
本発明は、前記課題を解決するため、外側面をネジ状に形成した異形棒鋼をアンカーボルトとして用い、該アンカーボルトの上部をベースプレートの挿通孔に挿通してナットにより締付固定する柱脚固定手段において、少なくとも前記アンカーボルトとナットとの螺合部のいずれか一方に縦通路を形成するとともに、前記ナットの上端部に流動性を有する硬化材を貯留して前記縦通路に導く凹状部を形成したことを特徴とする。前記異形棒鋼として軸方向に形成されたリブの外側面をネジ状に形成した偏平状の異形棒鋼を用い、その異形棒鋼とナットとの間に形成される間隙を縦通路としてもよい。また、前記凹状部をロート状に形成したり、ナットの上端部に装着する別部材により形成してもよい。
【０００５】
【発明の実施の形態】
前記異形棒鋼としては、外側面をネジ状に形成し、そのネジ状部分にナットを螺合して締付固定し得るものであれば、軸方向に形成されたリブの外側面のみをネジ状に形成した偏平状のものでも、外側面全周をネジ状に形成した円形断面のものでもよい。また、そのネジ状部分は、ナットとの螺合部のみに部分的に形成したものでも、全長にわたって形成したものでもよい。前記縦通路は、少なくとも前記アンカーボルトとナットとの螺合部のいずれか一方に形成されたものでよい。すなわち、アンカーボルト側あるいはナット側のいずれか一方に縦通路を形成したものでも、それらの両者に形成したものでもよい。また、前記アンカーボルトとナットとの螺合部分のみに部分的に形成したものでも、全長にわたって形成したものでもよい。さらに、前記縦通路は、アンカーボルトの軸方向に沿って縦方向に連続的に形成され、螺合部に連通しているものであればよく、必ずしも直線状である必要はなく、螺旋状に形成されたものでもよい。前記凹状部は、流動性を有する硬化材をナットの上端部において一時的に貯留し、前記縦通路を介してアンカーボルトとナットとの間隙部に注入するための受け溜部としての機能を有するものであればよく、その断面形状はロート状などの適宜の形状に形成することが可能であり、その大きさも場合に応じて設定すればよい。前記硬化材としては、セメントミルクやグラウトモルタル、あるいは合成樹脂などからなり、前記縦通路を介してアンカーボルトとナットとの間隙部に流入して硬化し得る流動性を有するものが用いられる。
【０００６】
【実施例】
以下、図面を用いて本発明の実施例に関して説明する。図１は本発明の適用場面を例示した縦断面図である。また、図２〜図４は本発明の第１実施例を示したもので、図２はその螺合状態を示した縦断面図、図３は同平面図、図４は硬化材注入後の状態を示した縦断面図である。図中、１はアンカーボルトで、基礎コンクリート２に定着されている。アンカーボルト１は、異形棒鋼から構成され、外側面には雄ネジが形成されており、その上部は基礎コンクリート２から突出している。そのアンカーボルト１の突出部は、鉄骨柱３のベースプレート４に形成された挿通孔５に挿通され、上部に螺合されるナット６を介してベースプレート４を基礎コンクリート２に対して締付固定し得るように構成されている。なお、図中、７は無収縮モルタル等からなるレベル調整材、８は堰板、９はグラウト材注入管である。
【０００７】
次に、本発明の特徴を実施例に従って説明する。図２に示すように、本実施例においては、前記ナット６の上端部にロート状の凹状部１０が形成されている。また、図３に示すように、前記アンカーボルト１として偏平状の異形棒鋼が用いられ、両側に位置するリブ部分の外側面には雄ネジが形成されており、ナット６と螺合した場合にそれらの間に縦通路１１が形成される。しかして、前記ナット６の上端部に形成された凹状部１０にセメントミルクなどの流動性のよい硬化材を注入すると、その硬化材は一時的に凹状部１０に貯留され、自重によって前記縦通路１１を介してアンカーボルト１とナット６との螺合部に形成される両ネジ間の間隙部に流入して硬化することにより、両者間の結合力を大幅に強化することになる。なお、図４はその注入後の螺合部の状態を示した縦断面図で、１２は硬化材を示したものである。
【０００８】
図５及び図６は本発明の第２実施例を示したもので、図５はその縦断面図、図６は同平面図である。前述の第１実施例と同じ構成部分には同じ符号を付して比較すると、第１実施例の場合には偏平状のアンカーボルト１とナット６との間に形成される間隙部を利用して前記縦通路１１を形成したのに対して、本実施例においてはナット６側の内面に溝状の縦通路１３を形成した点で特徴を有する。したがって、アンカーボルト１としては、前述の偏平状の異形棒鋼のほか、円形断面の外側面全周をネジ状に形成した異形棒鋼を用いることもできる。なお、縦通路１３の設置数を増やすことも可能である。
【０００９】
図７は本発明の第３実施例を示した縦断面図である。前述の第１実施例あるいは第２実施例と同じ構成部分には同じ符号を付して比較すると、第１及び第２実施例の場合にはナット６自体の上端部に凹状部１０を形成したのに対して、本実施例においてはナット６とは別部材の凹状部材１４を用いて、ナット６の上端部に凹状部１５を形成した点で特徴を有する。この場合には、別部材からなる凹状部材１４を用いることから、ナット６の大きさや形状に制約されることなく、適度の大きさの凹状部１５が自由に形成できる点で優れている。
【００１０】
【発明の効果】
本発明によれば、ナットの上端部に凹状部を形成するというきわめて簡単な構成を付加するだけで、硬化材の注入に当っては、ナットの上方から凹状部に硬化材を注入するだけで、その凹状部に貯留され、自重により前記縦通路を介してアンカーボルトとナットとの間隙部に確実に充填され硬化する結果、きわめて簡単な作業に拘らずナットの弛みを的確に防止できるという実用的できわめて優れた効果を得ることができる。また、アンカーボルトとナットとの結合力が強化される結果、ナットの締付力を従来より軽減しても十分な固定状態が得られるので、アンカーボルトの締付作業の改善にも有効である。
【図面の簡単な説明】
【図１】  本発明の適用例を示した縦断面図である。
【図２】  本発明の第１実施例を示した縦断面図である。
【図３】  同実施例の平面図である。
【図４】  同実施例の硬化材注入後の状態を示した縦断面図である。
【図５】  本発明の第２実施例を示した縦断面図である。
【図６】  同実施例の平面図である。
【図７】  本発明の第３実施例を示した縦断面図である。
【符号の説明】
１…アンカーボルト、２…基礎コンクリート、３…鉄骨柱、４…ベースプレート、５…挿通孔、６…ナット、７…レベル調整材、８…堰板、９…グラウト材注入管、１０…凹状部、１１…縦通路、１２…硬化材、１３…縦通路、１４…凹状部材、１５…凹状部
【図１】
0003805436.tif 000002
【図２】
0003805436.tif 000003
【図３】
0003805436.tif 000004
【図４】
0003805436.tif 000005
【図５】
0003805436.tif 000006
【図６】
0003805436.tif 000007
【図７】
0003805436.tif 000008